【事件の表示】
　平成　８年特許願第２０６９４８号「化粧料」拒絶査定不服審判事件〔平成１０年　２月１７日出願公開、特開平１０−　４５５２７〕について、次のとおり審決する。
【結　論】
　本件審判の請求は、成り立たない。
【理　由】
１．手続の経緯
　本願は、１９９６年８月６日の出願であって、平成１５年３月１３日付けで拒絶査定がなされ、これに対し平成１５年４月２４日に拒絶査定に対する審判請求がなされるとともに、平成１５年５月２３日付けで手続補正がなされたものである。
　
２．平成１５年５月２３日付けの手続補正についての補正却下の決定
［補正却下の決定の結論］
　平成１５年５月２３日付けの手続補正を却下する。
［理由］
（１）補正後の本願発明
　本件補正は、特許請求の範囲に新たに請求項４を追加するものである。
　上記補正が特許法第１７条の２、第４項に規定する目的のいづれを目的とするものでもないことは明らかである。
　
（２）むすび
　したがって、本件補正は、特許法第１７条の２第４項各号の規定に違反するものであり、特許法第１５９条第１項で準用する特許法第５３条第１項の規定により却下されるべきものである。
　
３．本願発明について
　平成１５年５月２３日付けの手続補正は上記のとおり却下されたので、本願の請求項１に係る発明（以下、同項記載の発明を「本願発明」という。）は、平成１３年１１月９日付け手続補正書の特許請求の範囲の請求項１に記載された事項により特定される、以下のとおりのものである。
「【請求項１】成分（Ａ）フッ素変性シリコーン及び成分（Ｂ）ポリアンテス属(Polianthes　L.)に属する植物のカルス由来の酸性へテロ多糖類を含有する皮膚化粧料。」
　
（１）引用例
　原査定の拒絶の理由に引用された引用例２〜１０には以下の事項が記載されている。
　
引用例２
(a-1)「従来耐水、耐汗、を高める目的でもちいられてきたジメチルポリシロキサン、メチルフェニルポリシロキサンは耐油、耐皮脂性については必ずしも良いものではなかった。本発明で用いられるフッ素変性シリコーン化合物は・・・ジメチルポリシロキサンにフルオロアルキル基を導入することにより耐油、耐皮脂性が高められる。」（公報第２頁右上欄）
(a-2)「本発明の構成として重要なのは本フッ素変性シリコーン化合物の耐水、耐汗、耐油、耐皮脂性を生かした乳化組成物を得たことにある。」（公報第２頁右下欄）
引用例３
(b-1)「本発明はフッ素変性シリコーン樹脂を配合することを特徴とし、耐水性、耐皮脂性に優れており、発汗や水仕事、水泳などにより落ちにくく、化粧持ちに優れた化粧料に関するものである。」（公報段落番号［０００１］）
(b-2)「従来撥水性を高める目的で用いられてきたシリコーン油やメチルシリコーン樹脂も耐油性については必ずしも高いものではなく、すなわち耐皮脂性については十分なものではなかった。すなわち、本発明は、耐水性、耐皮脂性に優れ、化粧持ちに優れた化粧料を提供する・・・。」（公報段落番号［０００３］）
引用例６
(c-1)「(a)フッ素変性シリコーン及び(b)３０℃における揮発速度が５．０ｘ１０−５〜１．７ｘ１０−３ｇ／ｃｍ２・Ｈである鎖状シリコーン及び／又は環状シリコーンを含有することを特徴とする化粧料。」（特許請求の範囲の請求項１）
(c-2)「本発明の化粧料は、優れた耐水性及び耐油性を有しており、同時に適度の油分を肌上に残存させることができる。・・・。また、汗や皮脂等による薬効成分や化粧成分の濡れや消失を防止でき、経時による顔面のテカリ等の化粧崩れをも防止して、安定に所期の化粧状態を持続することができる。更に、化粧料の安定性にも優れたものである。」（段落番号「００５８」）
(c-3)実施例１〜１３と比較例１及び１とを対比すると、フッ素変性シリコーンを配合した場合、ジメチルポリシロキサンを配合した場合よりも、化粧持ちが優れていることが示されている。（表６及び段落番号［００９７］）
引用例８
「次の成分（Ａ）〜（Ｄ）：
（Ａ）ポリアンテス属（Polianthes　L.）に属する植物のカルス由来の酸性ヘテロ多糖類
（Ｂ）カルボキシビニルポリマー又はその塩
（Ｃ）多価アルコール
（Ｄ）粘度が１００ｃｐｓ以下のシリコーン油
を含有する皮膚外用剤」（特許請求の範囲の請求項１）
引用例９
(d-1)「次の成分（ａ）及び（ｂ）
（ａ）ポリアンテス属（Polianthes　L.）に属する植物のカルス由来の酸性ヘテロ多糖類、（ｂ）紫外線散乱剤の１種又は２種以上、を含有することを特徴とする紫外線防御化粧料。」（特許請求の範囲の請求項１）
(d-2)「本発明は、皮膚を紫外線から守る効果に優れ、その効果が持続的で、かつ使用感の良い紫外線防御化粧料を提供する・・・。」（段落番号［０００４］）
(d-3)実施例１及び２には、上記酸性ヘテロ多糖類とメチルポリシロキサンなどのシリコーン類を含有するサンケア化粧品が記載されている。
(d-4)「本発明の紫外線防御化粧料は、高い紫外線防御効果に加え、酸性ヘテロ多糖類が被膜を形成することにより紫外線散乱剤の皮膚表面への残留性が高く、紫外線防御効果が長時間持続すると共に、きしみ感がなく、しっとりすべすべした優れた使用感を有する。」（段落番号［００４３］）
引用例１０
　ポリアンテス属（Polianthes　L.）に属する植物のカルス由来の酸性ヘテロ多糖類及び特定のアミン誘導体及びその酸付加塩から選ばれる一種又は二種以上を含有する皮膚外用剤が記載され、さらに実施例１、２及び４には上記酸性へテロ多糖類及びシリコーン類の１つであるメチルポリシロキサンを配合したクリームが記載されている。　
　
（２）対比・判断
　本願発明と、引用例８乃至１０に記載された発明とを対比すると、両者はポリアンテス属（Polianthes　L.）に属する植物のカルス由来の酸性ヘテロ多糖類を配合した皮膚外用剤である点で一致し、一方、前者においてはフッ素変性シリコーンが必須成分であるのに対して、後者においては必須成分（引用例８）又は任意成分（引用例９および１０）としてシリコーンが配合されている点で相違する。
　そこで、この相違点について検討する。
　化粧品の分野においては、フッ素変性されていないシリコーンは、従来からファンデーション類、各種クリーム、乳液などにつや出し剤、撥水剤、油分などとして広範に配合されているものであるところ、引用例２及び６には、従来耐水、耐汗、を高める目的で用いられてきたシリコーン類が必ずしも良いものではなく、フッ素変性シリコーンを配合することにより、耐油、耐皮脂性が高められること、化粧のもちが良くなること（引用例２(a-1)及び(a-2)；引用例３(b-1)及び(b-2)）あるいはシリコーンを比較例として、優れた耐水性及び耐油性を有し、さっぱりとした使用感を有すると同時に粉っぽさがなく、さらに、化粧成分の濡れや消失を防止して、化粧もちがよく、しかも安定性に優れた化粧料とすることができる（引用例６(c-2)及び(c-3)）ことが記載されているのであるから、化粧の持ち、使用感、安定性という広範な化粧品に共通に要求される特性を改善することを目的として引用例８乃至１０において必須成分あるいは任意成分として用いられているシリコーンに代えて引用例２及び６に記載のフッ素変性シリコーンを配合することは当業者が格別の困難を伴うことなく想到し得たものである。
　そして、本願発明の奏する効果もシリコーンをフッ素変性シリコーンに代えることにより得られると予想される効果を著しく越えるものとは認められない。
　したがって、本願発明は、引用例２、６、８乃至１０に記載された発明に基づいて当業者が容易に発明をすることができたものである。
　
（３）むすび
　以上のとおりであるから、本願発明は、特許法第２９条第２項の規定により特許を受けることができない。
　よって、結論のとおり審決する。